(57)【要約】【課題】使用者が異なる着座形態を任意に選択して使用することのできる使い勝手が良好なクッションを提供することにある。【解決手段】袋体の内部に充填材が充填され且つ該袋体の前面に形成された着座面が伸縮性素材で構成されると共に、該袋体の底面又は背面の何れか一方が伸縮性素材で構成され且つ何れか他方が非伸縮性素材で構成されてなる。【選択図】図１
2009219558.tif 000002
【特許請求の範囲】
【請求項１】
袋体の内部に充填材が充填され且つ該袋体の前面に形成された着座面が伸縮性素材で構成されると共に、該袋体の底面又は背面の何れか一方が伸縮性素材で構成され且つ何れか他方が非伸縮性素材で構成されてなることを特徴とするクッション。
【請求項２】
前記袋体が略三角柱形状に形成され且つその斜面が着座面として構成されてなる請求項１記載のクッション。
【請求項３】
前記着座面の上部に非伸縮性素材からなる非伸縮部が設けられてなる請求項１又は２記載のクッション。
【請求項４】
前記着座面の下部に非伸縮性素材からなる非伸縮部が設けられてなる請求項１乃至３の何れかに記載のクッション。
【請求項５】
前記伸縮性素材がポリウレタン弾性繊維からなる請求項１乃至４の何れかに記載のクッション。
【請求項６】
前記充填材が発泡ビーズからなる請求項１乃至５の何れかに記載のクッション。
【請求項７】
着座した際に前記着座面に肘掛け部が形成されるべく該着座面が幅広に構成されてなる請求項１乃至６の何れかに記載のクッション。
【発明の詳細な説明】
【技術分野】
【０００１】
本発明は、着座した使用者の体型に応じて適切に変形する座り心地良好なクッションに関する。
【背景技術】
【０００２】
近年、多様化したライフスタイルに応えるために、形状、色彩、或いは充填材の素材等に種々の工夫を凝らした多種多様のクッションが開発される至っている（特許文献１）。
【０００３】
例えば、従来のクッションとしては図１３に示すようなものが存在する。即ち、この従来のものは円柱状の袋体１１の内部に多数の発泡ビーズ１２を充填すると共に、該袋体１１の鏡面１３を伸縮性素材により構成したものである。
【特許文献１】特開２０００−９３２６０号公報
【発明の開示】
【発明が解決しようとする課題】
【０００４】
しかしながら、前記従来のクッションは円柱状の袋体１１の鏡面１３を着座面とし、且つ該鏡面１３のみを伸縮性素材で構成したものであるために、図１４に示すように上半身から下肢部分を前記鏡面１３に深く沈めるという、所謂リクライニング状態での着座形態に略限定されてしまい、使用上融通性に欠けるという問題点を有していた。
【０００５】
それ故に、本発明は前記従来の問題点を解決すべくなされたものであり、使用者が異なる着座形態を任意に選択して使用することのできる使い勝手が良好なクッションを提供することを課題としている。
【課題を解決するための手段】
【０００６】
即ち、前記課題を解決するために本発明の請求項１に記載した発明は、袋体の内部に充填材が充填され且つ該袋体の前面に形成された着座面が伸縮性素材で構成されると共に、該袋体の底面又は背面の何れか一方が伸縮性素材で構成され且つ何れか他方が非伸縮性素材で構成されてなることを特徴とする。
【０００７】
請求項１記載のクッションは、使用者が着座面に着座すると、その体圧を受けて伸縮性素材からなる着座面が伸長すると共に、充填材が袋体内を流動して着座面が使用者の体型に応じて変形し、使用者の身体が保持される。
【０００８】
この場合、底面を伸縮性素材で構成し且つ背面を非伸縮性素材で構成すると、該非伸縮性素材により背面側への前記充填材の流動は規制されるので、背面の形状は維持される結果、使用者は上半身を若干起した状態で保持されることになる。
【０００９】
また、これとは逆に底面を非伸縮性素材で構成し且つ背面を伸縮性素材で構成すると、
底面側への充填材の流動が規制される一方、背面側に充填材が流動して背面の伸縮性素材が伸長する。これにより背面形状が大きく変化して、使用者の上半身が前記の場合よりも更に後方側に傾倒する状態で身体が保持されることになる。
【００１０】
請求項２記載のクッションは、請求項１記載のクッションにおいて、前記袋体が略三角柱形状に形成され且つその斜面が着座面として構成されてなることを特徴とする。
【００１１】
請求項２記載のクッションは、使用者が着座面たる斜面に着座すると、その体圧を受けて伸縮性素材からなる着座面が伸長すると共に、充填材が袋体内を流動して使用者の身体が保持される。
【００１２】
請求項３記載のクッションは、請求項１又は２記載のクッションにおいて、前記着座面の上部に非伸縮性素材からなる非伸縮部が設けられてなることを特徴とする。
【００１３】
請求項３記載のクッションは、使用者が着座面に着座しても非伸縮性素材からなる非伸縮部により着座面の上部側への充填材の流動は規制されて、着座面の上部の形状は維持される。
【００１４】
請求項４記載のクッションは、請求項１乃至３の何れかに記載のクッションにおいて、前記着座面の下部に非伸縮性素材からなる非伸縮部が設けられてなることを特徴とする。
【００１５】
請求項４記載のクッションは、使用者が着座面に着座しても非伸縮性素材からなる非伸縮部により着座面の下部側への充填材の流動は規制されて、着座面の下部の形状は維持される。
【００１６】
請求項５記載のクッションは、請求項１乃至４の何れかに記載のクッションにおいて、前記伸縮性素材がポリウレタン弾性繊維からなることを特徴とする。
【００１７】
請求項５記載のクッションは、使用者が着座面に着座すると、その体圧を受けてポリウレタン弾性繊維からなる着座面が伸長すると共に、充填材が袋体内を流動して使用者の身体が保持される。一方、使用者が着座面から離れると、充填材が袋体内を流動して着座面は収縮し、元の形状に戻る。
【００１８】
請求項６記載のクッションは、請求項１乃至５の何れかに記載のクッションにおいて、前記充填材が発泡ビーズからなることを特徴とする。
【００１９】
請求項６記載のクッションは、使用者が着座面に着座すると、その体圧を受けて伸縮性素材からなる着座面が伸長すると共に、発泡ビーズが袋体内を流動して使用者の身体が保持される。
【００２０】
請求項７記載のクッションは、請求項１乃至６の何れかに記載のクッションにおいて、着座した際に前記着座面に肘掛け部が形成されるべく該着座面が幅広に構成されてなることを特徴とする。
【００２１】
請求項７記載のクッションは、使用者が着座面に着座すると、その体圧を受けて伸縮性素材からなる着座面が伸長すると共に、充填材が袋体内を流動して使用者の身体が保持される一方で、体圧を受けてへこんだ部位の周囲部分には充填材が流入して逆に隆起することになるため、使用者の肘の下方位置には肘掛け可能な肘掛け部が形成される。
【発明の効果】
【００２２】
請求項１に記載のクッションは、袋体の内部に充填材が充填され且つ該袋体の前面に形成された着座面が伸縮性素材で構成されると共に、該袋体の底面又は背面の何れか一方が伸縮性素材で構成され且つ何れか他方が非伸縮性素材で構成されてなるために、袋体を回転させて置き方を変えるという極めて簡易な操作によって、背面側に背面又は底面を配置することにより、袋体の変形を適宜変更させて使用することができる。従って、例えば使用者の好みやそのときの状況等に応じて任意にこれを選択して使用できるという格別の効果を得るに至った。
【００２３】
請求項２記載のクッションは、袋体を略三角柱形状に形成し且つその斜面を着座面として構成してなるが、略三角柱形状の斜面はクッションの着座面としては好適な形状であり、且つ使用者も着座面へ着座が容易に行えるという実用的な効果がある
【００２４】
請求項３に記載のクッションは、着座面の上部に非伸縮性素材からなる非伸縮部が設けられてなるために、使用者が着座面に着座しても非伸縮部を設けた着座面の上部部分の変形は規制されて、その形状が維持される。従って、かかる上部部分に位置する使用者の頭部を適切に保持し得るために、より一層快適な着座状態が得られるという効果がある。
【００２５】
請求項４に記載のクッションは、着座面の下部に非伸縮性素材からなる非伸縮部が設けられてなるために、使用者が着座面に着座しても非伸縮部を設けた着座面の下部部分の変形は規制されて、その形状が維持される。従って、かかる下部部分に位置する使用者の脚部を適切に保持し得るために、より一層快適な着座状態が得られるという効果がある。
【００２６】
請求項５に記載のクッションによれば、前記伸縮性素材がポリウレタン弾性繊維からなるために、使用者が着座面に着座すると該着座面が伸長し、その体圧を的確且つ確実に充填材に伝えることが可能となり、よって袋体の変形を良好に行わしめることができるという効果を奏する。
【００２７】
請求項６に記載のクッションは、充填材が発泡ビーズからなるために、かかる発砲ビーズが有する優れた流動性により袋体の変形が良好なものになると共に、使用者は柔らかい独特の感触を得ることができるという効果がある。
【００２８】
請求項７に記載のクッションは、着座した際に前記着座面に肘掛け部が形成されるべく該着座面が幅広に構成されてなるために、使用者が着座面に着座すれば充填材の流動によって肘掛け部が形成されるので、使用者はこの肘掛け部を利用することにより、より一層快適な着座状態が得られるという効果がある。
【００２９】
また、本発明に係るクッションは全体の構成が非常に簡易であるために、その製作も安価に且つ容易に行うことができるという実用的効果がある。
【発明を実施するための最良の形態】
【００３０】
本発明に係るクッションを実施するための最良の形態を図面に基づいて具体的に説明する。
【００３１】
図１乃至図９において、１は略三角柱形状からなる袋体を示し、その内部には図８及び図９のように充填材２たる球状の発泡ビーズが多数充填されている。かかる発泡ビーズは例えばポリエチレン樹脂やポリスチレン樹脂等の合成樹脂を発泡させたものであり、流動性及び耐久性に優れる共に、柔らかい独特の感触が得られる等の点において、この種クッションの充填材２としては最適である。
【００３２】
尚、本実施形態では袋体１の前面となる斜面を着座面３として構成しており、この着座面３は伸縮性素材たるポリウレタン弾性繊維（スパンデックス生地）で形成すると共に、該着座面３の上部には略水平状の上非伸縮部４を設け、且つ下部には略垂直状の下非伸縮部５を設けており、各非伸縮部４、５は非伸縮性素材からなっている。
【００３３】
また、袋体１の底面６は前記着座面３と同様の伸縮性素材で構成し、且つ袋体１の背面７及び両側面８は前記非伸縮部４、５と同様の非伸縮性素材で構成している。尚、本実施形態では図１に示すように、着座面３の幅Ｌを通常の人の身体幅よりも幅広の約４５〜６０ｃｍに、奥行きＭを約７０ｃｍに、高さＨを約７０ｃｍに夫々設定している。
【００３４】
本実施形態は以上のような構成からなるが、底面６を床等に設置して使用する場合について説明する。
【００３５】
先ず、使用者は袋体１の着座面３に着座するのであるが、本実施形態では略三角柱形状の袋体１の斜面を着座面３としているために、使用者は着座面３に容易に着座することができる。そして、着座面３に着座すると、該着座面３は伸縮性素材からなるため、図１０及び図１１のように使用者の体圧を受けて伸長すると共に、発泡ビーズが袋体１内を流動して前記着座面３の形状が使用者の体型に応じて変形し、使用者の身体が適切に保持される。
【００３６】
その際、着座面３の幅Ｌを使用者の身体幅よりも幅広に設定しているために、体圧を受けてへこんだ部位の周囲には発砲ビーズが流入し、かかる周囲部分が破線で示すように隆起する。これにより、使用者の肘の下方位置には肘掛け可能な肘掛け部９が形成されることになって、より一層良好な着座状態を得ることができる。
【００３７】
また、背面７は非伸縮性素材で構成されてなるために、背面側への発泡ビーズの流動は規制されるので、背面７の形状は維持される。従って、同図のように使用者は上半身を若干起した状態で保持されることになる。
【００３８】
尚、上非伸縮部４及び下非伸縮部５は夫々非伸縮性素材で構成されているため、各非伸縮部４、５の形状は維持されて、上非伸縮部４により頭部が保持されると共に、下伸縮部５により使用者のふくらはぎ部分が良好に保持される。
【００３９】
また、前記のような使用形態よりも一層のリクライニング効果を得たい場合は、次のようにして使用する。
【００４０】
即ち、図１２に示すように、袋体１を回転させてその背面７を床等に設置し、底面６が背面となるように置き方を変更するのである。この状態で使用者が着座面３に着座した場合も、前記の場合と同様に着座面３が伸長し、発泡ビーズが流動して使用者の身体が保持される共に、肘掛け部９が形成されることになるが、背面側に位置する底面６は伸縮性素材からなるために、図１１のように発泡ビーズは背面側に流動して底面６が伸長し、その形状が大きく変形する。その結果、使用者は上半身が前記の場合よりも更に後方側に傾倒する状態で身体が保持されることになる。
【００４１】
尚、この場合は形状が維持される下非伸縮部５が頭部を保持し、同じく上非伸縮部４がふくらはぎ部分を保持する。
【００４２】
このように本実施形態に係るクッションは、袋体１を回転させて置き方を変えるという極めて簡易な操作によって、背面側に背面７又は底面６を配置することにより、袋体１の変形を適宜変更することができる。従って、例えば使用者の好みやそのときの状況等に応じて任意にこれを選択して使用できるという大なる利点を有する。
【００４３】
また、本実施形態に係るクッションは全体の構成が非常に簡易であるために、その製作も安価に且つ容易に行うことができる。
【００４４】
そして、使用者が着座面３から離れた場合は、発泡ビーズの復元性及び着座面３の収縮性により、クッションは元の形状に戻ることになる。
【００４５】
尚、前記実施形態においては、袋体１を所定の寸法に設定された略三角柱形状に形成し且つその斜面を着座面３として構成したが、かかる袋体１の具体的な、大きさ及び形状等は決してこれに限定されるものではなく、本発明の意図する範囲内において任意に変更が可能である。例えば、前記実施形態の如き着座時における肘掛け部９の形成が特に必要ない場合は、着座面３の幅Ｌを幅狭に設定すればよい。
【００４６】
また、前記実施形態では、底面６を伸縮性素材で構成すると共に、背面７を非伸縮性素材で構成したが、これとは逆に背面７を伸縮性素材で構成し且つ底面６を非伸縮性素材で構成してもよい。何れの場合も袋体１を適宜回転して置き方を変更することにより同様の作用効果が得られる。要は、袋体１の底面６又は背面７の何れか一方を伸縮性素材で構成し、且つ何れか他方を非伸縮性素材で構成すればよいのである。
【００４７】
更に、充填材２として前記実施形態では発泡ビーズを使用した場合について説明したが、充填材２は決してこれに限定されず、例えば低反発ウレタンチップのようなものを使用してもよい。
【００４８】
また、着座面３及び底面６等を構成する伸縮性素材としては前記実施形態の如きポリウレタン弾性繊維に限られるものではない。
【００４９】
その他、上下非伸縮部４、５は必要に応じて設ければよく、省略することも可能である。
【図面の簡単な説明】
【００５０】
【図１】本発明に係るクッションの一実施形態を示す斜視図である。
【図２】本発明に係るクッションの一実施形態を示す斜視図である。
【図３】本発明に係るクッションの一実施形態を示す正面図である。
【図４】本発明に係るクッションの一実施形態を示す背面図である。
【図５】本発明に係るクッションの一実施形態を示す平面図である。
【図６】本発明に係るクッションの一実施形態を示す底面図である。
【図７】本発明に係るクッションの一実施形態を示す側面図である。
【図８】本発明に係るクッションの一実施形態を示し、図３のＡ−Ａ線断面図である。
【図９】本発明に係るクッションの一実施形態を示し、図７のＢ−Ｂ線断面図である。
【図１０】本発明に係るクッションの一使用状態を示す側面図である。
【図１１】本発明に係るクッションの一使用状態を示す斜視図である。
【図１２】本発明に係るクッションの他の一使用状態を示す側面図である。
【図１３】従来のクッション（特許文献１）を示す斜視図である。
【図１４】従来のクッション（特許文献１）の使用状態を示す斜視図である。
【符号の説明】
【００５１】
１    袋体
２    充填材
３    着座面
４    非伸縮部
５    非伸縮部
６    底面
７    背面
９    肘掛け部
【図１】
2009219558.tif 000003
【図２】
2009219558.tif 000004
【図３】
2009219558.tif 000005
【図４】
2009219558.tif 000006
【図５】
2009219558.tif 000007
【図６】
2009219558.tif 000008
【図７】
2009219558.tif 000009
【図８】
2009219558.tif 000010
【図９】
2009219558.tif 000011
【図１０】
2009219558.tif 000012
【図１１】
2009219558.tif 000013
【図１２】
2009219558.tif 000014
【図１３】
2009219558.tif 000015
【図１４】
2009219558.tif 000016